(57)【特許請求の範囲】
【請求項１】
少なくとも固有のＩＤを有する非接触データキャリアを発行する発行手段と、前記非接触データキャリアにより自動販売機からの商品を販売する販売手段と、その利用について精算する精算手段とを備えた非接触データキャリアを使用した自動販売機システムにおいて、前記自動販売機の販売しようとする商品を特定するための表示物または選択部位に前記非接触データキャリアと交信を行うためのアンテナをそれぞれ有するリーダライタ部が装着されており、且つ前記自動販売機は、利用者により商品が選択された後、該商品の前記表示物または前記選択部位を点灯させると共にタイマーをセットし、該タイマーのセット後に一定時間返却レバーの操作がなかった場合に前記選択された商品を投出させるように制御する手段を有することを特徴とする非接触データキャリアを使用した自動販売機システム。
【請求項２】
前記自動販売機がＩＤ情報による後払い方式になっており、前記データキャリア発行時にＩＤ情報と共に利用者が登録され、利用者が前記非接触データキャリアを前記アンテナに接近させることによって商品の販売を行い、精算時には自動販売機によるＩＤ情報に伴う売上げデータによって発行時の登録人に現金請求が行われるようになっている請求項１に記載の非接触データキャリアを使用した自動販売機システム。
【請求項３】
前記非接触データキャリアがプリペイドの金額情報を有し、該非接触データキャリアが発行される際に現金が支払われ、前記自動販売機が商品に販売がある時には該非接触データキャリアより金額情報を減額するようになっている請求項１に記載の非接触データキャリアを使用した自動販売機システム。
【発明の詳細な説明】
【０００１】
【発明の属する技術分野】
本発明は、電波で電力供給及び通信を行ない得る非接触データキャリアを利用した自動販売機システムに関し、特に非接触データキャリアを自動販売機に取込むことなく単に近づけ、商品を指定するだけで所望商品を購入できると共に、乗物や施設等及び他の用途にも利用でき、残額の管理や処理を効率良く行なうようにした非接触データキャリアを使用した自動販売機システムに関する。
【０００２】
【従来の技術】
従来より、非接触式カードを用いて自動販売機より商品を購入（販売）するＩＤ方式が、例えば特開平５−２２５４２６号や特開平６−１７６２５１号に開示されている。特開平５−２２５４２６号に開示されている後払い方式の自動販売機は、個人に関するデータを保有するカードが自動販売機に接近したとき、送受信部はカードと交信してデータを受信し、カードを保持している個人が入力装置にてデータの全部又は一部を入力すると、制御装置は入力されたデータと送受信部が読取ったデータとを照合することで販売の可否を判別し、販売が可能で商品が販売されると、売上データ記録部には売上情報が記録されるようになっている。
【０００３】
又、特開平６−１７６２５１号に開示されている自動販売機の制御方法は、自動販売機主制御部、ＩＣカード制御部及びアンテナを設け、商品が同一価格のときはＩＣカードからその価格に相当する一定金額を減算した後に商品搬出を行なう第１の制御方式に切換え、同一価格でないときはＩＣカードに含まれる金額を自動販売機主制御部に移し、商品が搬出された後にその商品の価格に応じてＩＣカードの精算を行なう第２の制御方式に切換えるようになっている。即ち、販売する商品の金額が同一値段のものであれば、利用者が自動販売機の前に立って商品選択ボタンを押すとＩＣカードからデータを読出し、設定分の金額を減算した額を書込んで後に商品を投出し、販売する値段が異なる場合には、利用者が自動販売機の前に立って商品選択ボタンを押すと、ＩＣカード内の残金額を一旦自動販売機側に移してＩＣカード内の残金を０とし、商品の投出が終了してから返金レバーを操作したときに販売金額を減算した残金額をＩＣカードに書込むようにし、更に両者の動作をスイッチで切換えるようにしている。
【０００４】
【発明が解決しようとする課題】
上述のようなＩＤ方式のシステムでは、ＩＤデータを非接触式カード（データキャリア）から自動販売機に通知した後に商品選択ボタンを押すと、その取引が記憶されてから精算が可能になっている。そして、プリペイド方式の場合には残高を確認した後に商品販売を行なう必要があり、自動販売機では少なくとも商品選択と決済処理（売上金額の減額）との操作が必要で、データキャリアを近づけた際に販売価格が決まらなければ、最初にデータキャリアを近づけた際に先に購入可能商品の最高価格分の金額を減算しておき、返却レバーの操作で残金を返却するのが一般的であった。このような場合、利用者が釣銭を受取らないで（取り忘れて）自動販売機を離れてしまうといった不都合があった。
【０００５】
本発明は上述のような事情よりなされたものであり、本発明の目的は、非接触データキャリアを自動販売機等の装置内部に取り込むこと無く、選択しようとする商品見本あるいは選択部位に近づけるだけで、購入する商品分の代金がデータキャリアの残金データから減算され書き込まれると共に商品が投出されるといった、釣銭の受け取る必要もなくかつ購人しようとする商品の価格分の残金があるかの確認の瞬時にできる非接触データキャリアを使用した自販機システムを提供することにある。
【０００６】
【課題を解決するための手段】
本発明は、少なくとも固有のＩＤを有する非接触データキャリアを発行する発行手段と、前記非接触データキャリアにより自動販売機からの商品を販売する販売手段と、その利用について精算する精算手段とを備えた非接触データキャリアを使用した自動販売機システムに関するもので、本発明の上記目的は、前記自動販売機の販売しようとする商品を特定するための表示物または選択部位に前記非接触データキャリアと交信を行うためのアンテナをそれぞれ有するリーダライタ部が装着されており、且つ前記自動販売機は、利用者により商品が選択された後、該商品の前記表示物または前記選択部位を点灯させると共にタイマーをセットし、該タイマーのセット後に一定時間返却レバーの操作がなかった場合に前記選択された商品を投出させるように制御する手段を有することによって達成される。
【０００７】
又、（ａ）前記自動販売機がＩＤ情報による後払い方式になっており、前記データキャリア発行時にＩＤ情報と共に利用者が登録され、利用者が前記非接触データキャリアを前記アンテナに接近させることによって商品の販売を行い、精算時には自動販売機によるＩＤ情報に伴う売上げデータによって発行時の登録人に現金請求が行われるようになっていること、（ｂ）前記非接触データキャリアがプリペイドの金額情報を有し、該非接触データキャリアが発行される際に現金が支払われ、前記自動販売機が商品に販売がある時には該非接触データキャリアより金額情報を減額するようになっていることによって、それぞれより効果的に達成される。
【０００８】
【発明の実施の形態】
図１は本発明を遊園地に適用した例を示しており、図２はその利用者（非接触データキャリア）及び情報の流れを示している。遊園地には入場ゲート１０及び退場ゲート２０があり、入場ゲート１０もしくはその近辺には、本発明に用いる非接触データキャリア（非接触型のＩＣカード、図３に示すような腕時計（リスト）型の非接触データキャリア３０等）を発行する発行機１００が設置され、退場ゲート２０もしくはその近辺には、使用済みの非接触データキャリア３０内の内容を精算する精算機２００が設置されている。又、遊園地内には缶ジュース、タバコ等の各種自動販売機３００が設置されていると共に、各種乗物（ジェットコースター、観覧車等）や施設（プール、水族館等）が運行営業されており、各種乗物や施設の入口部には、利用者が非接触データキャリア３０で料金を支払うための支払機４００が設置され、発行機１００、精算機２００、自動販売機３００及び支払機４００は管理室等のホストコンピュータ１に通信ラインで接続されている。
【０００９】
このような遊園地施設において、利用者は入場ゲート１０より入場料を払って入場し、先ずそこに設置されている発行機１００に貨幣を投入して園内の乗物や施設等をキャッシュレスで利用するための非接触データキャリア３０を購入するが、本例では販売価格により色分けしており、例えば赤色が１００００円、青色が５０００円、黄色が２０００円のようになっている。非接触データキャリア３０の購入日時、ＩＤデータ等の発行データは、ホストコンピュータ１に送出されて管理されている。入園者は非接触データキャリア３０を購入して腕にはめておき、園内でキャッシュレスで自由に乗物、自動販売機３００等を利用でき、その利用の都度自動販売機３００、支払機４００で読出した情報或いは釣銭の取り忘れ（データの更新忘れ）、返金等の情報がホストコンピュータ１に送られて、各非接触データキャリア３０の履歴データが管理される。即ち、入園者が施設を利用又は乗物に乗る場合には、それぞれのゲートに設けられている支払機４００のリーダライタに非接触データキャリア３０を通過させたり、接近させることで、支払機４００は非接触データキャリア３０のデータを読出し、その施設や乗物の料金を減算して非接触データキャリア３０に書込むと共に、ホストコンピュータ１にも料金や日時等の売上データを送信する。自動販売機３００での商品販売に関しても同様に処理される。一方、園内から退場する入園者は退場ゲート２０より退場するが、そこに設置されている精算機２００に自分の使用済みの非接触データキャリア３０を投入し、残金を現金に替えて退場する。その際、自動販売機３００で釣銭の取り忘れ等があった場合には、その返金分が加算されて精算されることになる。精算された非接触データキャリア３０は精算機２００内に回収されると共に、再度最初の価格に価値付けされて発行機１００で再度利用される。
【００１０】
図３は本発明に用いる非接触データキャリア３０の一例を示しており、非接触データキャリア３０は円盤状の本体部３１と、本体部３１を装着して腕に装填するためのバンド３２とで構成されており、本体部３１には送受信を行なうアンテナ３１Ａ及びデータ処理を行なうＩＣチップ３１Ｂが具備されている。非接触データキャリア３０は、アンテナ４１及び駆動処理回路４２を有するリーダライタ４０と協働して動作し、アンテナ４１及び３１Ａを介して電磁誘導で電力を供給されると共に、相互に非接触でデータ通信を行なう。データ通信は、シリアルパルスがＦＳＫ（Ｆｒｅｑｕｅｎｃｙ  Ｓｈｉｆｔ  Ｋｅｙｉｎｇ）変調された微弱電波によって行なわれる。かかるリーダライタ４０が精算機２００、自動販売機３００及び支払機４００に装着され、駆動処理回路４２で処理されたデータがホストコンピュータ１に送出されるようになっている。尚、非接触データキャリア３０は非接触ＩＣカードで代替でき、いずれも市販のものを利用できる。又、有効距離が１ｍにも及ぶものは自動販売機３００等で利用者を特定できなくなるため、本発明では有効距離が数ｃｍのものを使用する。
【００１１】
非接触データキャリア３０のメモリマップは図４に示すようになっており、読取だけが可能なシステム領域と、読取及び書込が可能なユーザー領域とに分かれており、非接触データキャリアＩＤにより付与価格１００００円、５０００円、２０００円が予め決められて発行される。又、利用施設コード番号には利用できる乗物、施設等のコード番号が登録されており、ユーザー領域には乗物や施設の利用日時データと共に、利用金額及び残高データが記憶され、利用履歴が管理されるようになっている。
【００１２】
図５は発行機１００の構成例を示しており、利用者がボタン等を操作したり、表示の案内をしたりする接客部１１０と、投入した貨幣を処理したり釣銭を出したりする貨幣処理部１２０と、指示された価格の非接触データキャリア３０を投出するための投出機構部１３０と、ホストコンピュータ１との間のインタフェース（Ｉ／Ｆ）機能を有するＩ／Ｆ装置１０１と、このＩ／Ｆ装置１０１及び接客部１１０、貨幣処理部１２０、非接触データキャリア投出機構部１３０を相互に接続して制御するＣＰＵ、メモリ等で成る制御部１４０とで構成されている。接客部１１０には、価格の異なる非接触データキャリア３０の中から利用者が選択して指示する商品選択ボタンがパネル部に設けられており、貨幣処理部１２０には、利用者が非接触データキャリアを購入するときに貨幣を投入するための貨幣投入口と、投入された貨幣を識別して利用者に投入金額を表示するための金額表示部と、投入した貨幣を返却してもらうための返却レバーと、釣銭や返却貨幣を投出して返却するための返却口等が含まれている。又、非接触データキャリア投出機構部１３０として、投出された非接触データキャリア３０を利用者が受取るための非接触データキャリア取出口がパネルに設けられている。尚、本例では１００００円、５０００円、２０００円の３種の価格の非接触データキャリア３０を発行する例を示しているが、任意の価格に設定して販売することが可能である。
【００１３】
このような構成において、利用者が貨幣投入口に貨幣を投入すると貨幣処理部１２０で識別されて投入金額が金額表示部に表示され、その金額内で利用者は商品選択ボタンを押すことができる。これにより選択された価格の非接触データキャリア３０が非接触データキャリア取出口に投出されると共に、釣銭がある場合には貨幣処理部で算出された釣銭が返却口に投出される。貨幣投入後に返却レバーを操作すれば、投入された貨幣は返却口に投出される。上記動作は制御部１４０で制御され、Ｉ／Ｆ装置１０１を経て非接触データキャリアの発行データがホストコンピュータ１へ送信される。上述のようにして発行機１００で発行された非接触データキャリア３０を利用者は腕に巻いて歩き、園内をキャッシュレスで利用することができる。先ず自動販売機３００の利用について説明する。
【００１４】
図６は自動販売機３００の外観を示しており、前面パネルには販売商品Ａ−Ｌのサンプル棚３４０が設けられ、各商品サンプル３４１には図７に示すように前述したリーダライタ４０が装填されている。又、サンプル棚３４０の下方には投出された商品を取出すための取出口３４２が設けられ、残高額等を表示する表示部３５１、返却レバ−３５３、販売可ランプ３５４等が設けられている。自動販売機３００の内部構成は図８に示すようになっており、全体の制御を行なうＣＰＵ、メモリ等で成る制御部３５０を有し、制御部３５０はＩ／Ｆ装置３５２を経てホストコンピュータ１に接続され、サンプル棚３４０の各商品サンプル３４１に装填されたリーダライタ４０はＩ／Ｆ装置３５５を介して制御部３５０で制御され、更に商品投出部３６０が接続されている。
【００１５】
このような構成において、その第１動作例を図９及び図１０のフローチャートを参照して説明する。自動販売機３００は常時データキャリア待ちの状態となっており（ステップＳ１００）、利用者の非接触データキャリア３０が所望の商品の商品サンプルに接近されると、当該非接触データキャリア３０のデータがリーダライタ４０及びＩ／Ｆ装置３５５を介して制御部３５０に読出され（ステップＳ１０１）、残高額が表示部３５１に表示される（ステップＳ１０２）。残高がなければ所定時間だけ残高額を表示して（ステップＳ１０３，Ｓ１０４）、上記ステップＳ１００にリターンし、ステップＳ１０３で残高が有れば該当選択商品、つまり非接触データキャリア３０で指示された商品サンプルのランプを点灯し（ステップＳ１０５）、販売可能なことを利用者に報知せしめると共に、当該商品の価格に基いて残高の減算を行ない（ステップＳ１０６）、非接触データキャリア３０のデータ書替えを行ない（ステップＳ１１０）、残高額表示の更新を行ない（ステップＳ１１１）、待ちタイマーをセットする（ステップＳ１１２）
。
【００１６】
その後、返却レバ−３５３が操作されたか否かを判断し（ステップＳ１１３）、操作されない場合はタイムアップして後（ステップＳ１１４）に商品投出部３６０を介して取出口３４２に商品を投出し（ステップＳ１１５）、売上データ（ＩＤデータ、今回の利用日時データ、今回の状態データ（通常利用、釣銭取り忘れ、返金、通信エラー）、今回の利用対象データ（販売機番号）、今回の利用金額データ）をホストコンピュータ１に送出し（ステップＳ１１６）、上記ステップＳ１００にリターンする。売上データを受信して管理するホストコンピュータ１でのメモリマップは図１４に示すようになっている。即ち、ホストコンピュータ１でのメモリマップはＩＤ毎に格納され、利用者が退場した場合には別の場所に移される。売上データのホストコンピュータ１への送出はリアルタイムであっても、一定期間毎にまとめて行なうようにしても良い。又、上記ステップＳ１１３で返却レバ−３５３が操作された場合には、表示部３５１に「返却」の表示を行ない（ステップＳ１２０）、タイマーをセットし（ステップＳ１２１）、タイムアップした場合には返金する必要があるので、釣銭忘れデータをセット（ステップＳ１２２，Ｓ１２７）して上記ステップＳ１００にリターンする。タイムアップしていなければデータキャリアの待機状態とし（ステップＳ１２２，Ｓ１２３）、非接触データキャリア３０が接近されればデータキャリアのデータを読出し（ステップＳ１２４）、ＩＤデータが一致しているか否かを判断する（ステップＳ１２５）。ＩＤデータが不一致であれば上記ステップＳ１２２にリターンし、ＩＤデータが一致しておれば、非接触データキャリア３０のデータを書替えて（ステップＳ１２６）、つまり返金処理をして上記ステップＳ１００にリターンする。
【００１７】
次に第２動作例を図１１及び図１２のフローチャートを参照して説明すると、自動販売機３００は常時データキャリア待ちの状態となっており（ステップＳ１３０）、利用者の非接触データキャリア３０が所望の商品の商品サンプルに接近されると、当該非接触データキャリア３０のデータがリーダライタ４０及びＩ／Ｆ装置３５５を介して制御部３５０に読出され（ステップＳ１３１）、残高額が表示部３５１に表示される（ステップＳ１３２）。残高がなければ所定時間だけ残高額を表示して（ステップＳ１３３，Ｓ１３４）、上記ステップＳ１３０にリターンし、ステップＳ１３３で残高が有れば該当選択商品、つまり非接触データキャリア３０で指示された商品サンプルのランプを点灯し（ステップＳ１３５）、販売可能なことを利用者に報知せしめると共に、待ちタイマーをセットする（ステップＳ１３６）。そして、返却レバ−３５３が操作されたか否かを判断し（ステップＳ１３７）、操作されない場合はタイムアップして後（ステップＳ１３８）に接近されたデータキャリアのデータを読出し（ステップＳ１４０）、ＩＤデータが一致しているか否かを判断する（ステップＳ１４１）。ＩＤデータが不一致であれば上記ステップＳ１３０にリターンする。ここで、ＩＤデータが不一致の場合には、返却レバ−３５３が操作されたものと見做すようにすることもできる。ＩＤデータが一致していれば、残高の減算を行なって（ステップＳ１４２）から非接触データキャリア３０のデータを書替え（ステップＳ１４３）、残高額の表示更新を行ない（ステップＳ１４４）、商品投出部３６０を介して取出口３４２に商品を投出し（ステップＳ１４５）、売上データをホストコンピュータ１に送出して（ステップＳ１４６）、上記ステップＳ１３０にリターンする。
【００１８】
上記ステップＳ１３７で返却レバ−３５３が操作された場合には、表示部３５１に「返却」を表示して（ステップＳ１３９）上記ステップＳ１３０にリターンする。尚、本例では、ホストコンピュータ１とネットワーク接続されていなくても、送信すべきデータをフレキシブルデスク等の記憶媒体に記録するようにしておき、商品の補充に回る際にデータを持ち帰る様にすることもできる。
【００１９】
図１３は自動販売機３００の第３動作例を示しており、自動販売機３００は常時データキャリア待ちの状態となっており（ステップＳ１５０）、利用者の非接触データキャリア３０が所望の商品の商品サンプルに接近されると、当該非接触データキャリア３０のデータがリーダライタ４０及びＩ／Ｆ装置３５５を介して制御部３５０に読出され（ステップＳ１５１）、該当選択商品のランプを点灯し（ステップＳ１５２）、待ちタイマーをセットする（ステップＳ１５３）。そして、返却レバ−３５３が操作されたか否かを判断し（ステップＳ１５４）、操作されない場合はタイムアップして後（ステップＳ１５５）に商品投出部３６０を介して取出口３４２に商品を投出し（ステップＳ１５６）、売上データをホストコンピュータ１に送出し（ステップＳ１５７）、上記ステップＳ１５０にリターンする。売上データのホストコンピュータ１への送出はリアルタイムであっても、一定期間毎にまとめて行なうようにしても良い。又、上記ステップＳ１５４で返却レバ−３５３が操作された場合には、表示部３５１に「返却」あるいは「キャンセル」の表示を行ない（ステップＳ１５８）、上記ステップＳ１５０にリターンする。
【００２０】
図１５は支払機４００の一例を示しており、非接触データキャリア３０をリーダライタ４０に接近させたときに、非接触データキャリア３０の残高及び利用金額等が表示部４０１に表示されるようになっている。この支払機４００は、乗物や各種施設の入口に設置されたゲートに設けられており、利用者が支払機４００を通過する毎に非接触データキャリア３０のＩＤデータが非接触で読出され、利用データとしてＩＤデータと共に、今回の利用日時データ、通常利用か返金等かの今回の状態データ、乗物施設番号を示す今回の利用対象データ、今回の利用金額データがホストコンピュータ１に送信されるようになっている。この時は商品の投出がないので同一のＩＤデータによる連続引き落としがないようにしておく必要があることは言うまでもない。
【００２１】
上述のようにして園内で自動販売機３００、乗物や施設等を利用して後、退場する場合は退場ゲート２０から出ることになるが、本発明ではその退場時に、使用済み非接触データキャリア３０の料金の精算を精算機２００で行なうようにしている。
【００２２】
図１６は精算機２００の外観を示しており、使用済みの非接触データキャリア３０を投入したり、精算中止の際の返却口が兼用となっている投入口２０１と、投入された非接触データキャリア３０の残高等を表示する表示部２０２と、利用明細を印字して出力する明細書出力部２０３と、精算金を利用者に返却するための精算口２０４と、利用者が投入した非接触データキャリア３０の精算を指示するための精算ボタン２０５と、精算を中止して投入した非接触データキャリア３０の返却を指示するための返却ボタン２０６とが設けられている。図１７はその内部構成を示しており、全体の制御を行なうＣＰＵ、メモリ等で成る制御部２１０を有し、制御部２１０は送受信部２１１を介して非接触データキャリア３０に無線で結合されると共に、Ｉ／Ｆ装置２１２を介してホストコンピュータ１に接続されている。又、制御部２１０には明細書出力部２０３が接続されると共に、利用者が操作する精算ボタン２０５、返却ボタン２０６及び残高等を表示する表示部２０２で成る接客部２２０と、精算金の処理を行なう貨幣処理部２３０と、投入口２０１へ投入された非接触データキャリア３０を収納のために内部に搬送する非接触データキャリア搬送機構部２４０とが接続されている。投入されて処理された非接触データキャリア３０は、精算機２００内に回収されて保管され、発行機１００に運搬されて再利用されることになる。
【００２３】
このような構成において、その動作を図１８のフローチャートを参照して説明する。園内での利用を終えた利用者は、自分の使用済み非接触データキャリア３０を精算機２００の接客部２２０としての投入口２０１へ投入する（ステップＳ２００）。投入された非接触データキャリア３０のＩＤ及び残高は、アンテナ３１Ａ及び送受信部２１１を介して制御部２１０で読取られ（ステップＳ２０１）、読取られた残高は表示部２０２に表示される（ステップＳ２０２）。その後、利用者による精算ボタン２０５の押下を待ち（ステップＳ２０３）、精算ボタン２０５が押下されるとＩ／Ｆ装置２１２を介してホストコンピュータ１から精算データ（ＩＤデータ、精算日時データ、残高データ）を転送して受け（ステップＳ２０４）、該当ＩＤのデータ（ＩＤデータ、精算日時データ、残高データ、利用データ履歴）を読出し（ステップＳ２０５）、残高照合してデータが一致しているか否かを判断する（ステップＳ２１０）。そして、データが一致している場合にはその残高データを金銭処理部２３０に伝送し（ステップＳ２１１）、データが一致していない場合にはホストコンピュータ１からの精算データ（ＩＤデータ、精算日時データ、残高データ、利用データ履歴）を貨幣処理部２３０に伝送し  （ステップＳ２１２）、利用データ履歴を明細書出力部２０３に送って明細書を出力する（ステップＳ２１３）。その後に貨幣処理部２３０により貨幣を精算口２０４に投出して返金し（ステップＳ２２０）、非接触データキャリア３０に価値（１００００円、５０００円、２０００円）を上書きし（ステップＳ２２１）、価値付けデータ（ＩＤデータ、価値付け日時データ、価値付け時残高データ）をホストコンピュータ１に転送する（ステップＳ２２２）。尚、上記ステップＳ２１１での処理は非接触データキャリア３０の残高の貨幣を投出するための処理であり、上記ステップＳ２１２での処理はホストコンピュータ１のメモリマップに基く精算処理である。このような精算処理で返金された貨幣を受取り、利用者は退場ゲート２０より退場することになる。
【００２４】
尚、上述では遊園地を例に挙げて説明したが、アミューズメント施設以外でも自動販売機をネットワークでオンライン接続、又はオフラインによって所定時間毎に可搬型記憶媒体を用いてデータを移せる環境にあれば、本発明システムにより非接触データキャリア本来のメリットを活かした自由度の高い運用が可能となる。又、タバコ自動販売機に限らず、飲料、交通機関の切符、食券等自動販売機全般で上述の様に特定の商品、金額又はメニューを、非接触データキャリアによって特定して購入することができるので、非接触方式のメリットを活かした自由度の高い運用システムができる。
【００２５】
次に、他の実施形態について説明する。上述の遊園地を例とした実施形態では、予め価格が付与された非接触データキャリア３０を発行機１００で発行し、利用者が乗物や自動販売機３００等を利用した後、精算機２００で精算すると共に非接触データキャリア３０を回収するようにした自動販売機システムを例として説明したが、次に示す第２の実施形態では、プリペイド型の非接触データキャリアを用いてキャッシュレスで商品を購入できると共にデータキャリアの内部残高を更新する機能を備え、非接触データキャリアを利用者が永続的に利用できるようにした自動販売機システムについて説明する。また、後述する第３の実施形態では、非接触データキャリア３０をＩＤ証として使用し、自動販売機を利用して購入した物品の金額を後払いで精算し得るようにした自動販売機システムを例として説明する。
【００２６】
先ず、第２の実施形態について説明する。図１９は一般的な店舗等に適用される自動販売機システムの全体構成の一例を示している。自動販売機３００は本例では食券の自動販売機であり、料理を特定するための表示物（又は見本）毎に、非接触データキャリア３０と交信を行うためのアンテナを有するリーダライタ部が装着されている。リライト／精算機５００は、利用者により選択された金額を非接触データキャリア３０に書込んで発行する発行機能と、非接触データキャリア３０の発行後、選択された金額に応じて非接触データキャリア３０の残高額を更新する残高更新機能と、残高の払戻しをする精算機能とを具備している。これらの自動販売機３００とリライト／精算機５００はホストコンピュータ（パーソナルコンピュータ）１に通信ラインで接続されており、売上げ等の取引データは、ホストコンピュータ１に送られて管理されるようになっている。
【００２７】
このような構成において、利用者は腕時計（リスト）型、或いはカード型の非接触データキャリア３０をリライト／精算機５００で購入し、非接触データキャリア３０を自動販売機３００の選択部位（表示物または見本）に近接し、所望の料理の食券を購入する。本例で用いる非接触データキャリア３０は再利用可能なプリペイド型のものであり、利用者は、追加金額を支払って非接触データキャリア３０の内部残高を更新することで、何回でも非接触データキャリア３０を利用することができる。また、精算したい場合には、リライト／精算機５００を用いて残高を精算できるようになっている。
【００２８】
図２０はリライト／精算機５００の外観を示しており、前面パネルには、非接触データキャリア３０の購入又は金額の更新、及び残高の払戻しを指示する選択ボタン５８０Ａと、非接触データキャリア３０の残高額を表示するための残高表示窓５３０Ａと、紙幣を挿入するための紙幣挿入口５４０Ａと、投入金額を表示するための金額表示窓５５０Ａと、クレジットカード（又は社員カード）のカード挿通部５２４と、購入した新規の非接触データキャリア３０を利用者が受取る新規キャリア投出口（シャッタ付）５９０Ａと、金額の更新又は払戻し時に対象となる非接触データキャリア３０を置くキャリア置台５２０Ａと、釣銭や払戻した貨幣を利用者が取出すための紙幣取出口５６０Ａ及び硬貨取出口５７０Ａが設けられている。また、貨幣の取出しがなされていない時など利用者に注意を喚起するためのランプＬ１〜Ｌ４が要所に設けられている。
【００２９】
リライト／精算機５００の内部構成は図２１に示すようになっており、全体の制御を行なうＣＰＵ、メモリ等で成る制御部５１０を有し、制御部５１０には、キャリア置台に置かれた非接触データキャリア３０のＩＤ情報／金額情報の読取り／書換えを行うキャリアリーダライタ部５２０、非接触データキャリア３０の内部残高を表示する残高表示部５３０、万券，５千円券，千円券を受付ける紙幣入金部５４０、投入金額及び非接触データキャリア購入時の残高額を表示する投入金額表示部５５０、非接触データキャリア購入時の釣銭や払戻し時の紙幣を支払う紙幣出金部５６０、同じく千円未満の分を支払う硬貨投出部５７０、選択ボタンで選択された購入金額／払戻の選択情報を入力する選択釦入力部５８０が接続されると共に、ホストコンピュータ１との間で交信を行なう通信Ｉ／Ｆ部５１１が接続されている。
【００３０】
さらに、制御部５００には、ＩＤ情報や売上データのデータをリムーバブル・ディスク等の記憶媒体（本例ではＦＤ）に落し込むときに使用するＦＤＤ５１２、購入された新規の非接触データキャリア３０を投出するキャリア投出部５９０、キャリア台部ランプＬ１、紙幣取出口ランプＬ２、硬貨取出口ランプＬ３、紙幣入金部ランプＬ４が接続されている。ここで、キャリア台部ランプＬ１は、キャリア待ち時や非接触データキャリア３０の取出し可能時に点滅すると共に、キャリア置台５２６に非接触データキャリア３０が置かれている時に点灯するように制御され、また、紙幣取出口ランプＬ２と硬貨取出口ランプＬ３は貨幣の取出し要の時に点滅し、紙幣入金部ランプＬ４は入金の受付け可能時に点灯するように、制御部５１０によってそれぞれ制御されるようになっている。
【００３１】
このような構成において、その動作例を図２２、図２３のフローチャートを参照して説明する。紙幣挿入口５４０Ａに紙幣が挿入されると（ステップＳ３００）、制御部５１０では紙幣入金部５４０で識別した挿入金額を投入金額表示部５５０を介して金額表示窓５５０Ａに表示する（ステップＳ３０１）。続いて、キャリア置台５２０Ａに非接触データキャリア３０が置かれているか否かを検知し（ステップＳ３０２）、置かれている場合には非接触データキャリア３０から読出した残高額を残高表示部５３０を介して残高表示窓５３０Ａに表示し、置かれていない場合は０円を残高表示窓５３０Ａに表示する（ステップＳ３０４）。続いて、選択釦入力部５８０を介して選択ボタン５８０Ａの選択情報を入力し、払戻ボタン５８２の押下を検出したときは（ステップＳ３０５）、キャリアリーダライタ部５２０により非接触データキャリア３０の残額を０に書換えると共に、紙幣出金部５６０及び硬貨投出部５７０を介して残高額の貨幣を紙幣取出口５６０Ａ及び硬貨取出口５７０Ａに投出し（ステップＳ３０６）、非接触データキャリア３０の返却を促すメッセージ（例えば「キャリアを返却下さい」）を表示して（ステップＳ３０７）待機状態とする。返却された非接触データキャリア３０は係員が受取り、図示されない別の返却機に回収される。
【００３２】
一方、金額選択ボタン５８１の押下を検出したときは（ステップＳ３０８）、投入金額と金額選択ボタン５８１の選択金額（本例では１千円，２千円，３千円，５千円）とを比較し、購入可能範囲か否かを判断する（ステップＳ３０９）。購入可能範囲外の金額選択ボタン５８１が押下されたのであれば金額不足の警告音を発した後（ステップＳ３１０）、上記ステップＳ３００にリターンする。一方、金額選択ボタン５８１で選択された金額が購入可能範囲であれば、キャリア置台５２０Ａに非接触データキャリア３０が置かれているか否かにより、金額の更新か新規購入かを判断する（ステップＳ３１１）。非接触データキャリア３０が置かれている場合、即ち金額の更新の場合は、金額選択ボタン５８１で選択された金額と残高額とを加算した金額情報を非接触データキャリア３０に書込み（ステップＳ３１２）、書込額を残高表示窓５３０Ａに表示すると共に、挿入金額の残りを金額表示窓５５０Ａに表示し（ステップＳ３１３）、非接触データキャリア３０の取出しを促すメッセージ（例えば「キャリアをお取り下さい」）を表示して待機状態とする（ステップＳ３１４）。
【００３３】
上記ステップＳ３１１で非接触データキャリア３０が置かれていない場合、即ち新規購入の場合は新規非接触データキャリア３０を新規キャリア投出口５９０Ａに投出して金額選択ボタン５８１で選択された金額をキャリアリーダライタ５２０部により非接触データキャリア３０に書込み（ステップＳ３１５）、購入した非接触データキャリア３０の取出しを促すメッセージを表示して待機状態とする（ステップＳ３１４）。また、上記ステップＳ３０８で金額選択ボタン５８１の押下が検出されない場合は、上記ステップＳ３００にリターンして待機状態  （操作待ち）とする。
【００３４】
なお、リライト／精算機５００には図示されないＩＤカードのカードリーダが設けられており、現金の代わりにクレジットカードを利用して、非接触データキャリア３０の購入又は金額の更新を行うことができるようになっている。この場合、クレジットカードをリライト／精算機５００のカード挿通部５２５Ａ（図２０参照）に通すことによって記憶内容が読み取られ、その時の購入額がクレジットカードのカード情報と共にリライト／精算機５００の記憶媒体（本例ではＦＤ）に記録される。そして、通信Ｉ／Ｆ部５１１を介してオンライン（又は記憶媒体の持ち込み）によりデータがホストコンピュータ１に登録され、例えば所定期間毎に当該利用者の利用金額が集計されてカード会社に請求されるようになっている。
【００３５】
図２４は食券の自動販売機３００の外観を示しており、前面パネルには料理のメニューを示す表示物３４１ａが配列されたメニュー表示部３４０ａが設けられ、前述したリーダライタ４０が各表示物３４１ａの所定の部位（例えばメニュー表示部材の背面部）に装着されている。又、前面パネルの所定位置には、投出された食券を取出すための取出口３４２ａ、残高額等を表示する表示部３５１ａ、返却レバ−３５３ａ、販売可ランプ３５４ａ等がそれぞれ設けられている。内部構成とその動作例は、前述した自動販売機３００（図６〜図１３参照）と同等であるため説明を省略し、ここでは利用者の操作例を説明する。利用者は、所望の料理の表示物３４１ａに非接触データキャリア３０を接近させ、図示されない当該メニューのランプ点灯（或いは音声など）で選択完了を確認し、非接触データキャリア３０の内部残高等を表示部３５１ａで確認する。そして、取出口３４２ａに投出された食券を受取り、他の食券を購入したいのであれば、上記の操作を繰り返す。なお、当該メニューのランプ点灯後、所定時間内に返却レバ−３５３ａを操作すれば、選択したメニューを取消することができるようになっている。
【００３６】
次に、第３の実施形態について説明する。第３の実施形態は、非接触データキャリア３０をＩＤ証として使用し、購入した物品の金額を後払いで精算できるようにしたもので、ここでは、社員食堂システムに適用した場合を例とする。後払い方式の自動販売機システムの場合は、図１９に示した構成においてリライト／精算機５００は不要であり、自動販売機３００とホストコンピュータ１とから構成される。なお、食券の自動販売機３００とホストコンピュータ１のハードウェア構成は第２の実施形態と同等であり、非接触データキャリア３０には予め社員用ＩＤが書込まれているものとして以下説明する。社員食堂には前述の食券の自動販売機３００（図２４参照）が配設されており、利用者は非接触データキャリア３０を用いて食券を購入する。すなわち、利用者は非接触データキャリア３０を自動販売機３００の表示物３４１ａに近接し、所望の料理の食券を購入する。以下、第２の実施形態と制御の異なる部分について説明する。
【００３７】
先ず、自動販売機３００の後払い方式での動作例について、図２４の外観図、図８の内部構成図、図２５、図２６のフローチャートを参照して説明する。自動販売機３００は常時データキャリア待ちの状態となっており（ステップＳ４００）、利用者の非接触データキャリア３０が所望の料理の表示物３４１ａに接近されると、当該非接触データキャリア３０のデータがリーダライタ４０及びＩ／Ｆ装置３５５を介して制御部３５０に読出され（ステップＳ４０１）、ＩＤが有効か否かが判断され（ステップＳ４０２）、ＩＤが無効の場合、例えばＩＤコードが登録されていない場合や、盗難，紛失等による取引停止届けがなされている場合は、無効の旨を表示して（ステップＳ４０３）上記ステップＳ４００にリターンする。ここで、上記の有効／無効チェックはホストコンピュータ１に登録され自動販売機側に転送されたＩＤ情報や取引停止情報に基づいて行われるが、自動販売機３００からの問い掛けを受けてホストコンピュータ１側でチェックするようにしても良い。ＩＤが有効であれば該当選択商品、つまり非接触データキャリア３０で指示されたメニューのランプを点灯し（ステップＳ４０４）、販売可能なことを利用者に報知せしめると共に、待ちタイマーをセットする（ステップＳ４０５）。そして、返却レバ−３５３が操作されたか否かを判断し（ステップＳ４０６）、操作されない場合はタイムアップして後（ステップＳ４０７）に接近された非接触データキャリア３０のデータを読出し（ステップＳ４１０）、ＩＤデータが一致しているか否かを判断する（ステップＳ４１１）。
【００３８】
ＩＤデータが不一致であればＩＤ読取りエラーの旨を表示して（ステップＳ４１５）上記ステップＳ４００にリターンする。ここで、ＩＤデータが不一致の場合には、返却レバ−３５３が操作されたものと見做すようにすることもできる。ＩＤデータが一致していれば、購入データを作成し（ステップＳ４１２）、商品投出部３６０を介して取出口３４２に食券を投出し（ステップＳ４１３）、売上データをホストコンピュータ１に送出して（ステップＳ４１４）、上記ステップＳ４００にリターンして待機状態とする。上記ステップＳ４０６で返却レバ−３５３が操作された場合には、表示部３５１に「販売キャンセル」を表示して（ステップＳ４０８）上記ステップＳ４００にリターンする。
【００３９】
次に、精算時の動作例について説明する。後払い方式の場合は、例えば非接触データキャリア３０の発行時にＩＤ情報と共に利用者がホストコンピュータ１に登録され、自動販売機３００から送られてくる売上げデータによつて、非接触データキャリア発行時の登録人に現金請求が行われる。すなわち、ホストコンピュータ１では、非接触データキャリア３０のＩＤ情報と請求先を示す利用者情報を記憶しておき、自動販売機３００から送出される売上データをＩＤ情報に対応させて記録する。そして、ある一定の期間毎（或いは精算指示がされた時点）に、ＩＤ毎に記録されている売上データと利用者情報を読込み、当該利用者に集計金額の現金請求を行い、支払完了により未精算分の金額を精算する。なお、給与システムと連動して月毎に利用者の給料から天引きすることで精算するようにしても良い。
【００４０】
【発明の効果】
以上のように本発明によれば、非接触データキャリアを自動販売機等の装置内部に取り込むこと無く、選択しようとする商品見本あるいは選択部位に近づけるだけで、所望の商品の受取りを行ない得ると共に、金額の引き落としを実際の釣銭の発生なしに行なうことができ、非接触方式のメリットを活かした自由度の高い運用が実現できる。そして、プリペイド方式の場合には、データキャリアの発行時に現金を支払うだけで自動販売機をキャッシュレスで利用できると共に、データキャリアの残高額を追加金額に応じて更新できるようにすることで永続的にデータキャリアを利用できるようになる。また、精算の際には、釣銭の取り忘れ（データの更新忘れ）が有っても、ホストコンピュータで管理しているデータに基づいて返金ができる。さらに、後払い方式とした場合には、ＩＤタイプの非接触データキャリアを用いて自動販売機をキャッシュレスで利用できると共に、ホストコンピュータで管理しているデータに基づいて精算処理することで口座引き落としや給与の天引き等による自動精算も可能となる。
【図面の簡単な説明】
【図１】本発明の概要を説明するための模式図である。
【図２】本発明の利用者の流れ及び情報の流れを示すブロック図である。
【図３】本発明に用いる非接触データキャリア及びリーダライタの構成例を示す図である。
【図４】本発明に用いる非接触データキャリアのメモリマップの一例を示す図である。
【図５】発行機の構成例を示すブロック図である。
【図６】自動販売機の一例を示す外観図である。
【図７】上記自動販売機に内蔵する商品サンプルの一例を示す図である。
【図８】上記自動販売機の内部構成例を示すブロック図である。
【図９】自動販売機の動作例を示すフローチャートの一部である。
【図１０】自動販売機の動作例を示すフローチャートの一部である。
【図１１】自動販売機の他の動作例を示すフローチャートの一部である。
【図１２】自動販売機の他の動作例を示すフローチャートの一部である。
【図１３】自動販売機の更に別の動作例を示すフローチャートである。
【図１４】ホストコンピュータにおけるメモリマップの一例を示す図である。
【図１５】支払機の一例を示す外観図である。
【図１６】精算機の一例を示す外観図である。
【図１７】精算機の内部構成例及び非接触データキャリア、ホストコンピュータの関係を示すブロック図である。
【図１８】精算機の動作例を示すフローチャートである。
【図１９】食堂等に適用される自動販売機システムの全体構成の一例を示すブロック図である。
【図２０】リライト／精算機の一例を示す外観図である。
【図２１】リライト／精算機の内部構成を示すブロック図である。
【図２２】リライト／精算機の動作例を示すフローチャートの一部である。
【図２３】リライト／精算機の動作例を示すフローチャートの一部である。
【図２４】自動販売機の他の例を示す外観図である。
【図２５】自動販売機の後払い方式での動作例を示すフローチャートの一部である。
【図２６】自動販売機の後払い方式での動作例を示すフローチャートの一部である。
【符号の説明】
１  ホストコンピュータ
３０  非接触データキャリア
４０  リーダライタ
４１  アンテナ
４２  駆動処理回路
１００  発行機
２００  精算機
３００  自動販売機
３４１    商品サンプル
３４１ａ  商品表示物
４００  支払機
５００  リライト／精算機
【図１】
0003688825.tif 000002
【図２】
0003688825.tif 000003
【図３】
0003688825.tif 000004
【図４】
0003688825.tif 000005
【図５】
0003688825.tif 000006
【図６】
0003688825.tif 000007
【図７】
0003688825.tif 000008
【図８】
0003688825.tif 000009
【図９】
0003688825.tif 000010
【図１０】
0003688825.tif 000011
【図１１】
0003688825.tif 000012
【図１２】
0003688825.tif 000013
【図１３】
0003688825.tif 000014
【図１４】
0003688825.tif 000015
【図１５】
0003688825.tif 000016
【図１６】
0003688825.tif 000017
【図１７】
0003688825.tif 000018
【図１８】
0003688825.tif 000019
【図１９】
0003688825.tif 000020
【図２０】
0003688825.tif 000021
【図２１】
0003688825.tif 000022
【図２２】
0003688825.tif 000023
【図２３】
0003688825.tif 000024
【図２４】
0003688825.tif 000025
【図２５】
0003688825.tif 000026
【図２６】
0003688825.tif 000027